(57)【要約】【課題】  ドア枠へのドアの取付が容易であり、吊り元指挟みが防止され得、取付後にドア枠に対してドアを三軸方向に移動調整可能であるピボット丁番を提供する。【解決手段】  ドア枠１１に対してドア１３を揺動可能に支持するピボット丁番１２であって、ドア枠の一側の下端に取り付けられる下方の丁番部３０を有し、下方の丁番部が、ドアの吊り元側の端面下部に形成された凹陥部１３ｂ内に取り付けられるベース３１と、ベースに対応するドア枠の一側下端位置に固定された固定軸部３２とを有し、固定軸部の垂直軸３２ｂが上端に球体部３２ｃを有し、ベースにおいて垂直軸を受容する軸ホルダー３６が、球体部に対応する凹部３６ｂを有し、垂直軸３２ｂが、軸ホルダーによりドアの厚み内で回転可能に且つ三軸方向に揺動可能に支持されるように、ピボット丁番１２を構成する。【選択図】  図７
2013072180.tif 000002
【特許請求の範囲】
【請求項１】
ドア枠に対してドアを揺動可能に支持するピボット丁番であって、
前記ドア枠の一側の下端に取り付けられる下方の丁番部を有し、
前記下方の丁番部が、前記ドアの吊り元側の端面下部に形成された凹陥部内に取り付けられるベースと、該ベースに対応する前記ドア枠の一側下端位置に固定された固定軸部とを有し、
前記固定軸部の垂直軸が上端に球体部を有し、
前記ベースにおいて前記垂直軸を受容する軸ホルダーが、前記球体部に対応する凹部を有し、
前記垂直軸が、前記軸ホルダーにより、前記ドアの厚み内で回転可能に且つ三軸方向に揺動可能に支持されることを特徴とする、ピボット丁番。
【請求項２】
前記固定軸部の垂直軸は、基部と、前記球体部を含む支持部と、を有し、
前記支持部は、前記基部に設けられた垂直方向に延びるねじ部に螺合することにより該基部に対し上下調整可能である、
請求項１に記載のピボット丁番。
【請求項３】
前記基部は、前記支持部を回転させるためのスパナを保持するスパナ保持構造を有する、請求項２に記載のピボット丁番。
【請求項４】
前記ドア枠の一側の上端に取り付けられる上方の丁番部を有し、
前記上方の丁番部が、前記ドアの吊り元側の端面上部に形成された凹陥部内に取り付けられるベースと、該ベースに対応する前記ドア枠の一側上端位置に固定された固定軸部とを有し、
前記上方の丁番部における固定軸部の垂直軸が、前記上方の丁番部におけるベースの軸ホルダーにより、前記ドアの厚み内で回転可能に且つ上下に移動可能に保持される、
請求項１に記載のピボット丁番。
【請求項５】
前記下方の丁番部及び上方の丁番部におけるベースが、それぞれ対応する固定軸部の垂直軸を保持する軸ホルダーを水平二軸方向に移動調整可能に支持している、
請求項１に記載のピボット丁番。
【請求項６】
前記下方の丁番部及び上方の丁番部におけるベースが、前記ドアの表面に対して平行な左右方向に延びる第一の調整ねじを介して軸ホルダーを支持しており、
この第一の調整ねじを回すことにより前記ベースに対して前記軸ホルダーを左右方向に移動調整可能である、
請求項５に記載のピボット丁番。
【請求項７】
前記下方の丁番部及び上方の丁番部におけるベースが、前記ドアの表面に対して平行な左右方向に延びる第二の調整ねじ及びこの第二の調整ねじに設けられたラック・ピニオン機構を介して軸ホルダーを支持しており、
この第二の調整ねじを回すことにより前記ベースに対して前記軸ホルダーを前記ドアの表面に対して垂直な前後方向に揺動調整可能である、
請求項５に記載のピボット丁番。
【請求項８】
前記ラック・ピニオン機構は、ラックと反対側に設けられ、ピニオンに弾性的に当接することにより、ピニオンをラックに向かって押圧すると共に、ピニオンの回転を制動する弾性部材を備えている、
請求項７に記載のピボット丁番。
【請求項９】
前記上方の丁番部のベースが、前記ドアの凹陥部内に固定されたカップ内に着脱可能に装着され、ロック機構により装着位置に固定保持され、
前記ロック機構が、ベースの後端付近に垂直に配置されたロック部材と、ベースの下方で前後に延びるレバーと、から構成されており、
前記ロック部材が、前記ベース内で上下方向に移動可能に支持されていて、上昇したとき、その上端が前記カップの後端上部に係合し、
前記レバーが、前後方向中間で水平軸の周りに揺動可能に前記ベースに対して支持されていて、その後端が前記ロック部材の下端の下側に配置されると共に、その前端を下方に付勢する弾性部材を備えており、
前記レバーが、その前端が前記弾性部材により下方に移動したとき、前記カップに係合する係合突起を前端付近に備えている、
請求項１に記載のピボット丁番。
【請求項１０】
前記係合突起の下端及び前記ロック部材の上端は、後方側にテーパを備えている、
請求項９に記載のピボット丁番。
【請求項１１】
前記上方の丁番部及び下方の丁番部が、それぞれ固定軸部の垂直軸及び軸ホルダーを除いて同じ部品から構成されている、請求項４に記載のピボット丁番。
【発明の詳細な説明】
【技術分野】
【０００１】
本発明は、開口部のドア枠に対して開閉可能にドアを枢支するピボット丁番に関するものである。
【背景技術】
【０００２】
従来、例えば住宅の内装扉として、開口部を画成するドア枠の一側に丁番により揺動可能に支持された所謂開き戸タイプのドアが多く使用されている。
このような開き戸タイプのドアを枢支するための丁番としては、従来、平丁番，隠し丁番やアウトセットピボット丁番が主流であり、長い間に亘って使用され続けている。
また、例えばトイレブース等の公共用の開き戸では、インセットピボット丁番が使用されている。
【発明の概要】
【発明が解決しようとする課題】
【０００３】
しかしながら、平丁番は、揺動軸がドアの外側に位置する所謂アウトセットタイプであり、開放時に吊り元側が大きく開くことから、吊り元指挟みの問題がある。また、ドア枠へのドア取付の際には、ドアをドア枠に対して平行に大きく持ち上げる必要があるため、特に重いドアの場合には、取付作業が難しくなってしまう。
【０００４】
また、隠し丁番は、意匠に優れると共に、壁からの外突寸法が小さく見栄えが良いが、吊り元指挟みのおそれがある。
さらに、アウトセットピボット丁番は、同様に意匠に優れているが、壁からの外突寸法が大きくなってしまうため、見栄えが損なわれ、また吊り元指挟みの問題がある。
【０００５】
これに対して、インセットピボット丁番は、壁からの外突寸法が小さく、見栄えが良いと共に、吊り元指挟みの問題が低減されるので、上述した平丁番，隠し丁番やアウトセットピボット丁番と比較して、安全性に優れているが、一般的に軸がドア内に収容され、バネ部材等により外側に突出する構造であることから、少なくとも二人の人員を要するなど取付作業が困難であり、また剛性の点で問題があり、重量のあるドアを枢支することは困難であった。
【０００６】
また、何れのタイプの丁番においても、ドア枠にドアを取り付けた後に、ドア枠に対してドアを三軸方向に位置調整することは困難である。従って、ドア枠に対するドアの取付精度を高めるためには、ドア枠及びドアの寸法精度を高めると共に、ドア枠及びドアに対する丁番の取付精度を高める必要があり、部品コスト，組立コストが高くなってしまう。
【０００７】
本発明は、以上の点に鑑み、簡単な構成により、ドア枠へのドアの取付が容易であるピボット丁番を提供することを目的としている。
【課題を解決するための手段】
【０００８】
上記目的は、本発明の構成によれば、ドア枠に対してドアを揺動可能に支持するピボット丁番であって、ドア枠の一側の下端に取り付けられる下方の丁番部を有し、下方の丁番部が、ドアの吊り元側の端面下部に形成された凹陥部内に取り付けられるベースと、ベースに対応するドア枠の一側下端位置に固定された固定軸部とを有し、固定軸部の垂直軸が上端に球体部を有し、ベースにおいて垂直軸を受容する軸ホルダーが球体部に対応する凹部を有し、垂直軸が軸ホルダーによりドアの厚み内で回転可能に且つ三軸方向に揺動可能に支持されることを特徴とするピボット丁番により、達成される。
【０００９】
本発明によるピボット丁番は、好ましくは、固定軸部の垂直軸が、基部と球体部を含む支持部とを有し、支持部が、基部に設けられた垂直方向に延びるねじ部に螺合することにより基部に対し上下調整可能である。
【００１０】
本発明によるピボット丁番は、好ましくは、基部が、支持部を回転させるためのスパナを保持するスパナ保持構造を有する。
【００１１】
本発明によるピボット丁番は、好ましくは、ドア枠の一側の上端に取り付けられる上方の丁番部を有し、上方の丁番部が、ドアの吊り元側の端面上部に形成された凹陥部内に取り付けられるベースと、ベースに対応するドア枠の一側上端位置に固定された固定軸部とを有し、上方の丁番部における固定軸部の垂直軸が、上方の丁番部におけるベースの軸ホルダーにより、ドアの厚み内で回転可能に且つ上下に移動可能に保持される。
【００１２】
本発明によるピボット丁番は、好ましくは、下方の丁番部及び上方の丁番部におけるベースが、それぞれ対応する固定軸部の垂直軸を保持する軸ホルダーを水平二軸方向に移動調整可能に支持している。
【００１３】
本発明によるピボット丁番は、好ましくは、下方の丁番部及び上方の丁番部におけるベースが、ドアの表面に対して平行な左右方向に延びる第一の調整ねじを介して軸ホルダーを支持しており、この第一の調整ねじを回すことによりベースに対して軸ホルダーを左右方向に移動調整可能である。
【００１４】
本発明によるピボット丁番は、好ましくは、下方の丁番部及び上方の丁番部におけるベースが、ドアの表面に対して平行な左右方向に延びる第二の調整ねじ及びこの第二の調整ねじに設けられたラック・ピニオン機構を介して軸ホルダーを支持しており、第二の調整ねじを回すことによりベースに対して軸ホルダーをドアの表面に対して垂直な前後方向に揺動調整可能である。
【００１５】
本発明によるピボット丁番は、好ましくは、ラック・ピニオン機構は、ラックと反対側に設けられ、ピニオンに弾性的に当接することにより、ピニオンをラックに向かって押圧すると共に、ピニオンの回転を制動する弾性部材を備えている。
【００１６】
本発明によるピボット丁番は、好ましくは、上方の丁番部のベースが、ドアの凹陥部内に固定されたカップ内に着脱可能に装着され、ロック機構により装着位置に固定保持され、ロック機構が、ベースの後端付近に垂直に配置されたロック部材と、ベースの下方で前後に延びるレバーと、から構成されており、ロック部材が、ベース内で上下方向に移動可能に支持されていて、上昇したとき、その上端がカップの後端上部に係合し、レバーが、前後方向中間で水平軸の周りに揺動可能にベースに対して支持されていて、その後端がロック部材の下端の下側に配置されると共に、その前端を下方に付勢する弾性部材を備えており、レバーが、その前端が弾性部材により下方に移動したとき、カップに係合する係合突起を前端付近に備えている。
【００１７】
本発明によるピボット丁番は、好ましくは、係合突起の下端及びロック部材の上端が、後方側にテーパを備えている。
【００１８】
本発明によるピボット丁番は、好ましくは、上方の丁番部及び下方の丁番部が、それぞれ固定軸部の垂直軸及び軸ホルダーを除いて同じ部品から構成されている。
【発明の効果】
【００１９】
上記構成により、下方の丁番部に関して、ベースをドアの吊り元側の端面下部に形成された凹陥部内に取り付けると共に、固定軸部をドア枠の一側下端位置に取り付けておく。また、上方の丁番部に関して、ベースに固定軸部を組み込んだ状態で、その固定軸部をドア枠の一側上端位置に取り付けておく。
この状態から、ドア枠の上縁にドア上部が当たらないように、ドア枠に対してドアを傾斜させたまま、ドア下端に露出する軸ホルダーを、ドア枠側の固定軸部に整合させ、その上端の球体部に嵌合させる。
その後、下方の丁番部における球体部を中心としてドアをドア枠に対して揺動させながら、ドアの吊り元側の端面上部に形成された凹陥部内に、ドア枠の一側上端位置に取り付けられている上方の丁番部のベースを挿入して、ドアをドア枠に対して正立させる。これにより、上方の丁番部のベースが対応するドアの凹陥部内に取り付けられ、ドア枠に対するドアの取付作業が完了する。
【００２０】
従って、ドアを傾斜させると共に、ドア枠の下端に固定された固定軸部の球体部の高さまでドアを持ち上げて、下方の丁番部の軸ホルダーを固定軸部の垂直部上端における球体部に嵌合させた後、ドアを揺動させながら上方の丁番部のベースをドアの一側上端位置の凹陥部内に取り付けるだけの簡単な作業で、下方の丁番部及び上方の丁番部によるドアの取付を行なうことができるので、重量のあるドアの場合であっても、一人の作業により容易に且つ簡単にドアの取付が可能である。
また、固定軸部の垂直軸が、ドアの厚み内に位置するので、所謂インセットピボット丁番として構成されることになり、吊り元側の間隙がドアの開閉過程で変化しないから、吊り元指挟みの発生が抑制され、安全性が向上する。
【００２１】
固定軸部の垂直軸が、基部と球体部を含む支持部とを有し、支持部が、基部に設けられた垂直方向に延びるねじ部に螺合することにより基部に対し上下調整可能である場合には、下方の丁番部の固定軸部において、支持部を基部に対して回転させることにより、支持部が基部に対して上下方向に移動するので、取付後のドアをドア枠に対して垂直方向に位置調整することができる。
この場合、上方の丁番部においては、ドア側の軸ホルダーがドア枠側の垂直軸を上下移動可能に支持しているので、下方の丁番部における支持部と基部による垂直方向の位置調整を妨げるようなことはない。
【００２２】
基部が、支持部を回転させるためのスパナを保持するスパナ保持構造を有する場合には、支持部がスパナ保持構造に保持されたスパナを使用することにより、別途工具を用意することなく、容易にドアの垂直方向の位置調整が可能であると共に、スパナ保持構造により保持されたスパナが、支持部と基部との間に位置することにより、垂直方向に位置調整された支持部の軸高さがドアによる荷重で変化することが阻止される。
【００２３】
下方の丁番部及び上方の丁番部におけるベースが、それぞれ対応する固定軸部の垂直軸を保持する軸ホルダーを水平二軸方向に移動調整可能に支持し、下方の丁番部及び上方の丁番部におけるベースが、ドアの表面に対して平行な左右方向に延びる第一の調整ねじを介して軸ホルダーを支持しており、この第一の調整ねじを回すことによりベースに対して軸ホルダーを左右方向に移動調整可能であり、さらに下方の丁番部及び上方の丁番部におけるベースが、ドアの表面に対して平行な左右方向に延びる第二の調整ねじ及びこの第二の調整ねじに設けられたラック・ピニオン機構を介して軸ホルダーを支持しており、第二の調整ねじを回すことによりベースに対して軸ホルダーをドアの表面に対して垂直な前後方向に揺動調整可能である場合には、取付後のドアをドア枠に対して水平二軸方向に位置調整することができる。従って、前述した下方の丁番部における基部と支持部の螺合による垂直方向の位置調整と合わせて、ドアをドア枠に対して三軸方向に位置調整することができる。
【００２４】
ラック・ピニオン機構が、ラックと反対側に設けられ、ピニオンに弾性的に当接することにより、ピニオンをラックに向かって押圧すると共に、ピニオンの回転を制動する弾性部材を備えている場合には、ピニオンがラックに対して確実に噛合することにより、ラック・ピニオン機構が確実に作動すると共に、作動後は、弾性部材によりピニオンの回転が制動されることによって、前後方向の位置調整がずれてしまうようなことがない。
【００２５】
上方の丁番部のベースが、ドアの凹陥部内に固定されたカップ内に着脱可能に装着され、ロック機構により装着位置に固定保持され、ロック機構が、ベースの後端付近に垂直に配置されたロック部材と、ベースの下方で前後に延びるレバーと、から構成されており、ロック部材が、ベース内で上下方向に移動可能に支持されていて、上昇したとき、その上端がカップの後端上部に係合し、レバーが、前後方向中間で水平軸の周りに揺動可能にベースに対して支持されていて、その後端がロック部材の下端の下側に配置されると共に、その前端を下方に付勢する弾性部材を備えており、レバーが、その前端が弾性部材により下方に移動したとき、カップに係合する係合突起を前端付近に備えている場合には、弾性部材の張力に抗してレバーの上方に持ち上げられ、上方の丁番部のベースがドア凹陥部のカップ内に挿入されたとき、ロック部材が下方に退避してカップ内に円滑に収容され、ベースがカップ内に完全に収容された状態で、レバー前端が弾性部材の張力により下方に移動し、これによりロック部材が上方に持ち上げられ、ロック部材の上端がカップの後端上部に係合すると共に、レバー前端の係合突起がカップに係合する。
【００２６】
従って、ベースは、カップに対して、後端上部でロック部材の上端が、また前端下部でレバーの係合突起がそれぞれ係合することにより、縦断面にて対角線上で係合することになる。これにより、ドアの重量による荷重がカップに作用したとき、ベースがカップから脱落するように作用するモーメントに対抗して、ベースとカップが確実に係合するので、ベースのカップからの脱落が確実に防止されることになる。
また、ドア取付状態で、誤ってレバー前端が上方に持ち上げられたとしても、ロック部材の上端には、ドアの重量による荷重が作用して、摩擦力により係合状態に保持されるので、カップ後端上部から脱落してしまうようなことはない。これに対して、ドアを取り外す場合には、ドアを支持して、ドアの重量による荷重がカップに作用しないようにすれば、ロック部材は自重により落下して、カップ後端上部から脱落するので、容易にドアの取り外しを行なうことが可能である。
【００２７】
係合突起の下端及びロック部材の上端が、後方側にテーパを備えている場合には、ベースをカップ内に挿入する際に、このテーパに沿ってレバーの前端が上方に持ち上げられるので、特にレバーの前端を上方に手作業で持ち上げることなく、円滑にベースをカップ内に挿入し、取り付けることができる。
【００２８】
上方の丁番部及び下方の丁番部が、それぞれ固定軸部の垂直軸及び軸ホルダーを除いて同じ部品から構成されている場合には、上方の丁番と下方の丁番を共通部品で構成することによって、量産効果により、個々の部品の製造コストが低減され、各丁番部の製造コストも低減され得る。
【００２９】
このようにして、本発明によれば、簡単な構成により、ドア枠へのドアの取付が容易であると共に、吊り元指挟みが防止され得る。
【図面の簡単な説明】
【００３０】
【図１】本発明によるピボット丁番の一実施形態を組み込んだドア構造の構成を示す開放状態での概略正面図である。
【図２】図１のドア構造を示す一部破断概略平面図である。
【図３】図１のドア構造における上方の丁番部の構成を拡大して示す分解斜視図である。
【図４】図３の上方の丁番部を示す（Ａ）平面図，（Ｂ）側面図，（Ｃ）正面図，（Ｄ）底面図，（Ｅ）左右方向の断面図及び（Ｆ）前後方向の断面図である。
【図５】図３の上方の丁番部を拡大して示す前後方向の断面図である。
【図６】図５の上方の丁番部におけるラックピニオン構造をより詳細に示す前後方向の拡大断面図である。
【図７】図１のドア構造における下方の丁番部の構成を拡大して示す分解斜視図である。
【図８】図７の下方の丁番部を示す（Ａ）正面図，（Ｂ）側面図，（Ｃ）平面図及び（Ｄ）左右方向の断面図である。
【図９】図１のドア構造における上方の丁番部のドア枠に対する固定軸部の取付位置を拡大して示す一部破断拡大平面図である。
【図１０】図１のドア構造におけるドアのドア枠に対する取付工程の第一段階を示す部分拡大斜視図である。
【図１１】図１のドア構造におけるドアのドア枠に対する取付工程の第二段階を示す部分拡大斜視図である。
【発明を実施するための形態】
【００３１】
図１及び図２は、本発明によるピボット丁番の一実施形態を組み込んだドア構造の要部の構成を示している。
図１及び図２に示すように、ドア構造１０は、例えば住宅の室内における部屋の入り口等に設けられた開口部を画成するドア枠１１と、ドア枠１１に対してピボット丁番１２により揺動可能に支持されたドア１３と、から構成されている。
【００３２】
ここで、ピボット丁番１２は、図１に示すように、ドア枠１１の一側の上端に取り付けられる上方の丁番部２０と、ドア枠１１の一側の下端に取り付けられる下方の丁番部３０と、から構成されている。
これら上方及び下方の丁番部２０，３０は、図２に示すように、また後述するように、それぞれ揺動軸がドア１３内に位置する、所謂インセットタイプのピボット丁番として構成されている。
【００３３】
上方の丁番部２０は、図３及び図４に示すように、ドア１３の吊り元側の端面上部に形成された凹陥部１３ａ内に取り付けられるベース２１と、このベース２１に対応するドア枠１１の一側の上端位置に固定された固定軸部２２と、から構成されている。
【００３４】
ベース２１は、例えばZDCから構成されており、ドア１３の前後方向（Ｘ方向）両側の壁部により中空状に形成されていると共に、ドア１３の対応する凹陥部１３ａ内に取り付けられたカップ２３内に、後述するように着脱可能に且つロック機構２９によりロック可能に装着される。
また、ベース２１の左右方向（Ｙ方向）の一側（図３にて左側）は、カバー２４により閉じられている。
このカバー２４は、その表面が、ドア１３の吊り元側の端面の形状に合わせて湾曲して形成されている。即ち、ドア１３は、その吊り元側の端面が、図２に示すように、水平断面にて半円形の外形を有しており、カバー２４は、この半円形の外形と整合するように形成されている。
【００３５】
ベース２１は、その中空部の下側に、Ｙ方向に移動可能な調整部材２５を備えている。この調整部材２５は、Ｙ方向に沿って配置された左右調整ネジ２５ａを有しており、左右調整ネジ２５ａは、調整部材２５に対して回転可能に且つＹ方向に移動しないように支持されている。ここで、調整部材２５は、図３において左側部分が左右調整ネジ２５ａを受容するように下方まで延びて形成されている。
左右調整ネジ２５ａは、ネジ頭部が調整部材２５のドア１３の吊り元側の端面からカバー２４の窓部２４ａを介して露出するように、調整部材２５の下方に延びた部分に設けられたＹ方向に延びる貫通穴２５ｂに挿通され、Ｅリング２５ｃにより、回転可能に且つ軸方向に移動しないように保持されている。
さらに、左右調整ネジ２５ａは、その先端側のネジ部２５ｄが、ベース２１に設けられたＹ方向に延びるネジ穴２１ａに螺合している。これにより、左右調整ネジ２５ａを回転させることにより、調整部材２５がベース２１に対してＹ方向に移動調整される。
【００３６】
他方、ベース２１は、その中空部の上側に、軸ホルダー２６を備えている。この軸ホルダー２６は、例えばZDCから構成されており、他側付近において、軸ホルダー２６及びベース２１を垂直に貫通するキングピン２６ａの周りに揺動可能に支持されている。
軸ホルダー２６は、後述する固定軸部２２の垂直軸２２ｂを受容する軸受部２６ｂを上面に備えていると共に、一側端縁の下端にＸ方向に延びるラック２６ｃを有している。
軸受部２６ｂは、固定軸部２２の垂直軸２２ｂを受容し、回転可能に且つ上下移動可能に支持する。
【００３７】
軸ホルダー２６を前後方向に移動調整するための前後調整ネジ２７は、調整部材２５に設けられたＹ方向に延びる穴２５ｅに対して、そのネジ頭部が調整部材２５のドア１３の吊り元側の端面からカバー２４の窓部２４ｂを介して露出するように挿通され、Ｅリング２７ａにより、調整部材２５に対して回転可能に且つ軸方向に移動しないにように保持されている。
【００３８】
前後調整ネジ２７は、図５に詳細に示すように、その頭部に隣接してピニオン２７ｂを備えており、このピニオン２７ｂは、上述した軸ホルダー２６のラック２６ｃに噛合して、ラック・ピニオン機構を構成している。
これにより、前後調整ネジ２７を回転させることで、軸ホルダー２６の軸受部２６ｂを備えた前端がほぼＸ方向に移動するように、キングピン２６ａの周りに揺動する。
【００３９】
ここで、調整部材２５のドア吊り元側の端面には、露出した左右調整ネジ２５ａのピニオン２７ｂに隣接して、軸ホルダー２６のラック２６ｃとは反対側に、即ち下側に、規制部材２８が設けられている。
この規制部材２８は、弾性材料から構成されており、図６に示すように、ピニオン２７ｂに対向する側で、ピニオン２７ｂの外形に対応してほぼ円弧状に形成されていると共に、ピニオン２７ｂの各歯２７ｃに対応する小さな凹部２８ａを備えている。図示の場合、この小さな凹部２８ａは、八枚の歯２７ｃを有するピニオン２７ｂに対して、その半分のピッチで形成されている。
【００４０】
これにより、規制部材２８は、ピニオン２７ｂの下側に係合して、ピニオン２７ｂに対して弾性的に当接することにより、ピニオン２７ｂを上方に向かって、即ちラック２６ｃに対して押圧する。従って、前後調整時には、規制部材２８が弾性変形することでピニオン２７ｂの動作を許容し、ラック・ピニオン機構が動作して、前後調整ネジ２７によるＹ方向調整が行なわれる。
また、非調整時には、規制部材２８がピニオン２７ｂに弾性的に係合することにより、ピニオン２７ｂの回転が制動され、不用意に前後調整が行なわれない。その際、ピニオン２７ｂは、その歯の半分のピッチに対応する位置で規制部材２８により係止されるので、凹部２８ａのピッチがピニオン２７ｂのピッチと同じ場合に比べて細かい調整が可能である。
【００４１】
固定軸部２２は、ベース部２２ａと、垂直軸２２ｂと、から構成されている。
ベース部２２ａは、例えばSUS303から成り、ドア枠１１の上縁に取付ネジ（図示せず）により取り付けられる。
【００４２】
また、垂直軸２２ｂは、例えばSUS303から成り、ベース部２２ａの中心付近から下方に突出するように設けられ、ほぼ円柱状に形成されている。
ここで、垂直軸２２ｂは、組立時には、軸ホルダー２６の軸受部２６ａ内に嵌入し、回転可能且つ上下方向移動可能に支持される。
【００４３】
ロック機構２９は、図３に示すように、ロック部材２９ａと、レバー２９ｂと、から構成されている。
ロック部材２９ａは、例えばSECCから構成されており、ベース２１内の後端（図３にて右端）付近で上下方向に延び、且つ上下方向に移動可能に支持されている。
さらに、ロック部材２９ａは、その上端２９ｃが後方側にテーパを備えている。
そして、ロック部材２９ａは、上方に移動したとき、その上端２９ｃが、対応するドア１３側に取り付けられたカップ２３の後端上部に設けられた係合部２３ａに係合すると共に、下方に移動したとき、その上端２９ｃが下方に退避して、カップ２３の係合部２３ａから解放される。
【００４４】
レバー２９ｂは、ベース２１の下方にて左右方向（Ｙ方向）に延びるように配置され、その左右方向中間位置で水平軸２９ｄの周りに揺動可能に支持されていると共に、その水平軸２９ｄより吊り元側（以下、レバー２９ｂに関して前側という）で、付勢バネ２９ｅにより下方に向かって付勢されている。
レバー２９ｂの後端２９ｆは、ロック部材２９ａの下端の下側まで延びており、その揺動によってロック部材２９ａを上方に押し上げる。
【００４５】
レバー２９ｂの前端２９ｇは、ベース２１の前側に取り付けられたカバー２４の窓２４ｃから露出していると共に、前端付近の下面から下方に突出する係合突起２９ｈを有している。この係合突起２９ｈは、後方側にテーパを備えている。
これに対して、カップ２３は、この前端下部に係合穴２３ｂを備えており、ベース２１がカップ２３内に挿入されたとき、レバー２９ｂの係合突起２９ｈがカップ２３の係合穴２３ｂ内に嵌入し、係合する。
【００４６】
レバー２９ｂは、さらに水平軸２９ｄより前側から上方に突出するガイド部２９ｉを有している。このガイド部２９ｉは、その水平軸２９ｄ側の内面が水平軸２９ｄの軸心を中心とする円筒面として形成されている。
これに対応して、ベース２１は、同様に水平軸２９ｄを軸心とする外側円筒面として形成されたガイド面２１ｇを有している。
これにより、レバー２９ｂは、そのガイド部２９ｉの内面が、ベース２１のガイド面２１ｇに沿って褶動することにより、ドア取付時におけるドア１３の荷重が、レバー２９ｂからガイド部２９ｉからガイド面２１ｇに逃がされ、過大な荷重がレバー２９ｂに印加されないようになっている。
【００４７】
下方の丁番部３０は、図７及び図８に示すように、ドア１３の吊り元側の端面下部に形成された凹陥部１３ｂ内に取り付けられるベース３１と、このベース３１に対応するドア枠１１の一側の下端位置に固定された固定軸部３２と、から構成されている。
これらのベース３１及び固定軸部３２は、図３及び図４に示した上方の丁番部２０とは上下反転しているものの、ほぼ同じ構成である。
即ち、下方の丁番部３０において、ベース３１，固定軸部３２，カップ３３，カバー３４，調整部材３５，軸ホルダー３６，前後調整ネジ３７，規制部材３８及びロック機構３９は、以下の点を除いて、上方の丁番部２０におけるベース２１，固定軸部２２，カップ２３，カバー２４，調整部材２５，軸ホルダー２６，前後調整ネジ２７，規制部材２８及びロック機構２９と同じ構成である。
【００４８】
ここで、下方の丁番部３０においては、固定軸部３２の垂直軸３２ｂが、その上端に球体部３２ｃを有している。これに対して、軸ホルダー３６は、球体部３２ｃを三軸方向に回動可能に受容し得る凹部としての軸受穴３６ｂを備えている。
これにより、垂直軸３２ｂは、ベース３１内の軸ホルダー３６の軸受部３６ｂに係合することにより、自在継手のように、任意の方向に揺動可能に支持されることになる。
【００４９】
また、固定軸部３２の垂直軸３２ｂは、下端付近の外形が例えば六角形状のナット部３２ｄとして形成されていると共に、内側面に、ベース部３２ａに設けられた垂直方向に延びる雄ねじ部３２ｅに螺合する雌ねじ部３２ｆを備えている。
これにより、垂直軸３２ｂは、ナット部３２ｄを回転させることで、上下方向に移動調整可能である。
【００５０】
さらに、固定軸部３２は、ナット部３２ｄに係合して垂直軸３２ｂを回転調整するための薄型のスパナ３２ｇと、このスパナ３２ｇをナット部３２ｄに係合した状態で保持する保持構造３２ｈを有している。図示の場合、保持構造３２ｈは、スパナ３２ｇを図示しない固定ネジで固定軸部３２に螺着するように構成されている。
これにより、下方の丁番部３０における固定軸部３２の垂直軸３２ｂは、スパナ３２ｇを利用して回転調整可能である。また、保持構造３２ｈによりスパナ３２ｇを保持することで、ドア１３の荷重及び開閉動作により垂直軸３２ｂが下方移動してしまうことを防ぐことができる。
【００５１】
本発明によるピボット丁番１２は、以上のように構成されており、ピボット丁番１２を使用してドア１３をドア枠１１に取り付ける場合、以下のように作業が行なわれる。
【００５２】
まず、上方の丁番部２０については、すべて組み立てた状態で、即ち図４（Ｅ）に示された部品が組み合わされた状態で、ドア枠１１の一側上端に取り付けておく。
その際、固定軸部２２のベース部２２ａは、図９に示すように、ドア枠１１の一側の上端において、二つの端縁がそれぞれドア枠１１の戸当たり１１ａ及び枠側縁１１ｂに当接した状態で、ドア枠１１の上縁に取り付けられる。
【００５３】
他方、下方の丁番部３０については、ベース３１と固定軸部３２を分離しておく、即ち固定軸部３２の垂直軸３２ｂを軸ホルダー３６の軸受部３６ａから外しておく。
そして、固定軸部３２のベース部３２ａが、上方の丁番部２０における固定軸部２２と同様に、ドア枠１１の一側の下端において、二つの端縁がそれぞれドア枠１１の戸当たり１１ａと枠側縁１１ｂに当接した状態で、ドア枠１１の下縁に取り付けられる。
また、ベース３１は、ドア１３側の対応するカップ３３内に水平方向に挿入されている。挿入の際には、ロック機構３９のレバー３９ｂから上方に突出する係合突起３９ｈ及びロック部材３９ａの下端３９ｃは、それぞれその後方側のテーパにより、円滑にカップ３３内に挿入される。
【００５４】
そして、ベース３１がカップ３３内に完全に挿入されたとき、レバー３９ｂの係合突起３９ｈがカップ３３の係合穴３３ｂ内に嵌入し、付勢バネ３９ｅの張力によって、図５（Ｄ）に示す係合位置に保持されると共に、ロック部材３９ａを下降させ、その下端３９ｃを対応するカップ３３の係合部３３ａに係合する。
これにより、ベース３１は、カップ３３に対して、後端下部と前端上部の対角線上の二箇所で、固定保持される。従って、ドア１３の取付時において、ドア１３の重量によりベース３１に印可されるモーメントに十分に対応して、ドア１３を確実に支持することが可能である。
【００５５】
このような状態から、図１０に示すように、ドア１３を持ち上げて、ドア１３の一側下端に取り付けられたベース３１における軸ホルダー３６の軸受穴３６ｂを、ドア枠１１の一側下部に取り付けられた固定軸部３２の垂直軸３２ｂの球体部３２ｃに整合させた後、ドア１３を下降させる。その際、ドア１３を僅かに傾斜させておくと、ドア１３の上部がドア枠１１と干渉することがなく、容易にドア１３を持ち上げることができる。
これにより、ドア１３がドア枠１１に対して、下方の丁番部３０によって連結されることになる。
【００５６】
続いて、図１１に示すように、ドア１３の傾斜を戻しながら、ドア１３の一側上端に取り付けられたカップ２３を、ドア枠１１の一側上部に対して取り付けられたベース２１に整合させ、ベース２１をカップ２３内に相対的に挿入する。
このとき、下方の丁番部３０では、固定軸部３２の垂直軸３２ｂにおける球体部３２ｃが軸ホルダー３６の軸受穴３６ｂに対して揺動可能に支持されているので、ドア１３は円滑に傾斜が戻され、ベース２１がカップ２３内に挿入され得る。
【００５７】
そして、ベース２１がカップ２３内に押し込まれると、下方の丁番部３０におけるベース３１のカップ３３内への挿入時と同様にして、係合突起２９ｈ及びロック部材３９ａの上端２９ｃの後方側のテーパによって、ロック機構２９のレバー２９ｂが上方に退避し、且つロック部材２９ｂが下方に退避する。これにより、ベース２１は円滑にカップ２３内に挿入される。
ベース２１がカップ２３内に完全に挿入されたとき、レバー２９ｂの係合突起２９ｈがカップ２３の係合穴２３ｂ内に嵌入し、付勢バネ２９ｅの張力によって、係合位置に保持されると共に、ロック部材２９ａが上昇し、その上端２９ｃが対応するカップ２３の係合部２３ａに係合する。
【００５８】
これにより、ベース２１は、カップ２３に対して、後端上部と前端下部の対角線上の二箇所で、固定保持される。従って、ドア１３の取付時において、ドア１３の重量によりベース２１に印可されるモーメントに十分に対抗して、ドア１３を確実に支持することが可能である。
この場合、ドア１３の下端を下方の丁番部３０における固定軸部３２の垂直軸３２ｂの高さ程度まで持ち上げればよく、また上方の丁番部２０において、ベース２１をカップ２３内に押し込むだけの簡単な作業によって、ドア取付作業を容易に行なうことができる。
【００５９】
このようにドア枠１１に取り付けられたドア１３は、以下のようにして三軸方向に調整される。
即ち、まず上下方向（Ｚ方向）の位置調整に関しては、下方の丁番部３０において、固定軸部３２の垂直軸３２を、スパナ３２ｇを使用してナット部３２ｄを回転させることにより、上下方向に移動させて、ドア１１を適宜の高さ位置に位置調整する。
調整後は、スパナ３２ｇをナット部３２ｄに係合した状態で、保持構造３２ｈにより、固定軸部３２に螺着する。これにより、上下調整に必要な工具としてのスパナ３２ｇをスポット丁番１０に一体的に配置しておくことができると共に、このようにして固定軸部３２に螺着されたスパナ３２ｇは、ナット部３２ｄの不用意な回動を阻止するので、例えばドア１３の荷重により垂直軸３２ｂが不用意に回転し、高さ調整がずれてしまうことが効果的に防止され得る。
【００６０】
これに対して、前後方向（Ｘ方向）の位置調整に関しては、上方の丁番部２０及び下方の丁番部３０において、それぞれ前後調整ネジ２７，３７を回転させることにより、対応する軸ホルダー２６，３６がそれぞれキングピン２６ａ，３６ｐの周りに回動して、軸ホルダー２６，３６の軸受部２６ｂ，３６ｂがそれぞれほぼＸ方向に移動する。
【００６１】
また、左右方向（Ｙ方向）の位置調整に関しては、上方の丁番部２０及び下方の丁番部３０において、それぞれ左右調整ネジ２５ａ，３５ａを回転させることにより、対応する軸ホルダー２６，３６がそれぞれ前後方向に移動調整される。
【００６２】
ここで、Ｘ方向の位置調整は、実際には軸ホルダー２６，３６の揺動により行なわれるので、厳密にはＹ方向にも変動することになる。従って、Ｘ方向及びＹ方向に関して正確な位置調整を行なうためには、Ｘ方向の位置調整を行なった後、Ｙ方向の位置調整を行なうことが望ましい。
【００６３】
このようにしてドア枠１１にドア１３が取り付けられた状態において、何らかの原因で、ドア１３の吊り元側端面で上方の丁番部２０のカバー２４の窓部２４ａ内に在るレバー２９ｂの先端２９ｇが上方に移動されると、レバー２９ｂが回転軸２９ｄの周りに回動して、その後端が下方に移動する。
このとき、ロック部材２９ａの上端２９ｃには、ドア１３の荷重によって、横方向に力が作用しているので、摩擦力によりロック部材２９ａが係合位置に保持される。従って、ロック部材２９ａが自重により下方に落下して、カップ２３の係合部２３ａから外れてしまうようなことはない。
【００６４】
ドア１３をドア枠１１から取り外す場合には、上述したドア１３の取付の場合と逆の手順で作業が行なわれる。
即ち、まずドア１３を下方から支持して、上方の丁番部２０にドア１３の荷重による力が加えられないようにしておく。
この状態から、レバー２９ｂの先端２９ｇを上方に移動すると、レバー２９ｂが回転軸２９ｄの周りに回動して、その後端が下方に移動する。このとき、ロック部材２９ａの上端２９ｃには、ドア１３の荷重による横方向の力が作用していないので、ロック部材２９ａが自重により落下し、ロック機構２９が解放される。この状態から、上方の丁番部２０におけるベース２１がカップ２３から取り出される。
その後、ドア１３が傾斜され、下方の丁番部３０における固定軸部３２の垂直軸３２ｂから軸ホルダー３６の軸受部３６ｂが取り外され、ドア１３がドア枠１１から取り外される。
【００６５】
このようにして、本発明によるピボット丁番１２によれば、ドア枠１１へのドア１
３の取付の際に、ドア１３を傾斜させた状態で、下方の丁番部３０の固定軸部３２における垂直軸３２ｂの高さより僅かに高くドア１３を持ち上げるだけで、下方の丁番部３０における取付を行なうことができると共に、ドアの傾斜を戻しながら、上方の丁番部２０におけるベース２１をカップ２３内に挿入するだけの所謂ワンタッチの簡単な作業で、上方の丁番部２０における取付を行なうことができる。
さらに、取付後のドア１３を三軸方向に位置調整することができるので、ドア枠１１，ドア１３そしてピボット丁番１２の寸法精度があまり高くなくても、ドア枠１１に対してドア１３を適正に取り付けることが可能である。
また、ドア１３の吊り元側の端面が断面半円形に形成されており、これに対応して、上下の丁番部２０，３０の吊り元側が整合するように形成されているので、ドア１３の開閉の際に、使用者等が誤ってドア１３の吊り元側の端面とドア枠１３の間に指を挟み込んでしまうようなことがなく、また、ドア１３の取り付けを一人で行うことができる。
【産業上の利用可能性】
【００６６】
本発明はその趣旨を逸脱しない範囲において様々な形態で実施することができる。
例えば、上述した実施形態においては、下方の丁番部３０において、垂直軸３２ｂの上端が球体部３２ｄを有しているが、これに限らず、ドア１１に垂直な軸に対して円弧状に形成されていれば、他の形状であってもよい。
【００６７】
上述した実施形態においては、下方の丁番部３０において、スパナ３２ｇがスパナ保持構造３２ｈによって固定軸部３２のベース部３２ａに螺着されているが、これに限らず、スパナ３２ｇは別の場所で保管するようにしてもよい。この場合、複数個の丁番部３０が存在する場合でも、ただ一つのスパナ３２ｇを用意しておけばよい。
【００６８】
上述した実施形態においては、ラック・ピニオン機構において、ピニオン２７ｂ，３７ｂは八枚の歯２７ｃ，３７ｃを有しているが、これに限らず、ピニオン２７ｂ，３７ｂは、七枚以下または九枚以上の歯２７ｃ，３７ｃを有していてもよい。この場合、軸ホルダー２６，３６の前後方向の位置調整は、ピニオン２７ｂ，３７ｂの端数に応じて精度が変化し、枚数が多ければ精度が高くなる。
【００６９】
以上述べたように、本発明によれば、簡単な構成により、ドア枠へのドアの取付が容易であると共に、吊り元指挟みが防止され得、さらに取付後にドア枠に対してドアを三軸方向に移動調整可能である、極めて優れたピボット丁番が提供される。
【符号の説明】
【００７０】
１０    ドア構造
１１    ドア枠
１２    ピボット丁番
１３    ドア
２０    上方の丁番
２１，３１    ベース
２２，３２    固定軸部
２２ｂ，３２ｂ  垂直軸
２３，３３    カップ
２４，３４    カバー
２５，３５    調整部材
２５ａ，３５ａ  左右調整ネジ
２６，３６    軸ホルダー
２６ａ，３６ａ  キングピン
２６ｂ，３６ｂ  軸受部
２６ｃ，３６ｃ  ラック
２７，３７    前後調整ネジ
２７ｂ，３７ｂ  ピニオン
２８，３８    規制部材
２９，３９    ロック機構
２９ａ，３９ａ  ロック部材
２９ｂ，３９ｂ  レバー
２９ｈ，３９ｈ  係合突起
【図１】
2013072180.tif 000003
【図２】
2013072180.tif 000004
【図３】
2013072180.tif 000005
【図４】
2013072180.tif 000006
【図５】
2013072180.tif 000007
【図６】
2013072180.tif 000008
【図７】
2013072180.tif 000009
【図８】
2013072180.tif 000010
【図９】
2013072180.tif 000011
【図１０】
2013072180.tif 000012
【図１１】
2013072180.tif 000013